(57)【特許請求の範囲】
【請求項１】
建屋内を仕切壁１により操作盤５を備える操作室２と精米装置１２を備える機械室３とに分け、該仕切壁１には操作室２と機械室３とを連通する開口部６６を形成し、該開口部６６にはキーによるロック解除で操作室２側に開く開閉扉６０を設けた筐体６１を挿入し、開閉扉６０の表面側にはコイン投入口３０を設け、開閉扉６０の裏面側にはコインを貯留する収容箱５５を設け、
筐体６１と筐体周囲を囲う仕切壁１側の上下枠部６４，６５との間には、開口部６６を開閉すべく筐体６１を仕切壁１に対して支持軸６７，７０による軸芯イ回りに回動可能にする構成とし、該支持軸６７，７０は筐体６１の前側における左右に偏寄した位置に設け、筐体６１と筐体周囲を囲う仕切壁１側の左右枠部６２との間には筐体６１の回動を規制するボルト７１を設けたことを特徴とする精米施設。
【請求項２】
ボルト７１を設けた側の左右枠部６２に対して反対側の左右枠部６３は上下枠部６４，６５間を着脱自在に連結する構成とし、前記左右枠部６３に開口部６６を覆う着脱自在のカバー７６を取り付けたことを特徴とする請求項１記載の精米施設。
【発明の詳細な説明】
【０００１】
【発明の属する技術分野】
この発明は、穀粒及び料金を投入して精米作業をする精米施設に関する。
【０００２】
【従来の技術及び発明が解決しようとする課題】
本発明は投入したコインの回収を容易に行なえることを目的とする。
【０００３】
また、機械室３の運転各部を操作室２側から確認できることを目的とする。
【０００４】
【課題を解決するための手段】
このため、本発明は次のような技術的手段を講じた。すなわち、請求項１記載の発明においては、建屋内を仕切壁１により操作盤５を備える操作室２と精米装置１２を備える機械室３とに分け、該仕切壁１には操作室２と機械室３とを連通する開口部６６を形成し、該開口部６６にはキーによるロック解除で操作室２側に開く開閉扉６０を設けた筐体６１を挿入し、開閉扉６０の表面側にはコイン投入口３０を設け、開閉扉６０の裏面側にはコインを貯留する収容箱５５を設け、筐体６１と筐体周囲を囲う仕切壁１側の上下枠部６４，６５との間には、開口部６６を開閉すべく筐体６１を仕切壁１に対して支持軸６７，７０による軸芯イ回りに回動可能にする構成とし、該支持軸６７，７０は筐体６１の前側における左右に偏寄した位置に設け、筐体６１と筐体周囲を囲う仕切壁１側の左右枠部６２との間には筐体６１の回動を規制するボルト７１を設けたことを特徴とする精米施設の構成とする。
【０００５】
なお、請求項２記載の発明においてはボルト７１を設けた側の左右枠部６２に対して反対側の左右枠部６３は上下枠部６４，６５間を着脱自在に連結する構成とし、前記左右枠部６３に開口部６６を覆う着脱自在のカバー７６を取り付けたことを特徴とする請求項１記載の精米施設とする。
【０００６】
【発明の作用効果】
この発明は、建屋内を仕切壁１により操作盤５を備える操作室２と精米装置１２を備える機械室３とに分け、該仕切壁１には操作室２と機械室３とを連通する開口部６６を形成し、該開口部６６にはキーによるロック解除で操作室２側に開く開閉扉６０を設けた筐体６１を挿入し、開閉扉６０の表面側にはコイン投入口３０を設け、開閉扉６０の裏面側にはコインを貯留する収容箱５５を設け、筐体６１と筐体周囲を囲う仕切壁１側の上下枠部６４，６５との間には、開口部６６を開閉すべく筐体６１を仕切壁１に対して上記軸芯イ回りに回動可能にする支持軸を前側における左右に偏寄した位置に設け、筐体６１と筐体周囲を囲う仕切壁１側の左右枠部６２との間には筐体６１の回動を規制するボルト７１を設けたことで、コインを回収するときは設置者はキーをもってロックを解除し、扉６０を操作室２側に開き収容箱５５からコインを回収する。
また、筐体６１はロック用のボルト７１，７１を外すことにより、軸心イ回りに回動させることができ、機械室３の運転各部を操作室２側から確認できて便利である。
請求項２記載の発明においては、筐体６１が回動状態で右部枠６３及びカバー７６を外すことにより、開口部６６を拡大でき設置者の出入りを可能とさせ、機械室３内における点検確認が容易となる。
【０００７】
【発明の実施の形態】
本発明を、穀粒及び料金を投入して精米作業をする精米施設に用いた場合について説明する。図１は、精米施設の平面から見た建屋内の内部構成を示したもので、内部は仕切壁１により操作室２と機械室３とに分けられている。この操作室２側には穀粒袋置き台４、操作盤５、白米タンク６等を設けると共に、原料投入タンク７の投入口を臨ませ、機械室側３には、石抜装置用昇降機８、石抜装置９、異物除去装置１０、精米装置用昇降機１１、精米装置１２、糠処理部１３、開閉扉１４等を設けている。
【０００８】
図２は実施例における精米施設の作業工程を示した図で、上記原料投入タンク７の下部にはこの原料投入タンク７に投入した穀粒を繰り出すロ−タリバルブ１５を設けている。そして、該ロ−タリバルブ１５の繰り出し側を石抜装置用昇降機８のホッパ部８ａに連通し、この石抜装置用昇降機８の排出口８ｂを、投入した穀粒中に含まれる石等の比較的比重の大きい異物を選別除去する石抜装置９の投入口９ａ側に臨ませている。
【０００９】
前記異物除去装置１０は投入した穀粒中に含まれる藁屑等を選別分離しながら各別に取り出すもので、上記石抜装置９の排出口９ｂを該異物除去装置１０の投入口１０ａ側に、異物除去装置１０の排出口１０ｂを精米装置用昇降機１１のホッパ部１１ａに、それぞれ臨ませる。このうち精米装置用昇降機１１の排出口１１ｂは玄米タンク１６に臨むよう構成し、さらに玄米タンク１６の下方には穀粒を精白処理する精米装置１２を配置している。
【００１０】
１７は精米装置で精白処理して発生する糠を空気搬送する機械室側糠搬送経路であり、糠処理部１３に連通している。糠処理部１３は、サイクロン１８、サイクロン１８より落下した糠を水平移送する糠ラセン１９、糠ラセン１９を駆動する糠ラセン駆動モータ２０、糠ラセン１９を内装する糠移送樋２１、糠移送樋２１の移送途中の前後には糠排出口２１ａ・２１ｂより排出される糠を収容すべく複数の糠袋２２ａ・２２ｂ等を設ける。
【００１１】
前記操作盤５の盤面には、図３に示すように、コイン投入口３０、紙幣挿入口３１、もち選択ボタン３２、白度選択ボタン３３（本実施例では上白・標準・８分の３段階に選択できる）等を配設している。そして、この操作盤５の内部には各部駆動モ−タをシーケンス制御を行うマイクロコンピュータを備えている。
【００１２】
図４に示すように、マイクロコンピュータの制御部３４にはコインセンサ３５、紙幣検出手段３６からの検出情報、白度選択ボタン３３からの白度選択情報、もち選択ボタン３２による選択情報等が入力される。一方、ロ−タリバルブ駆動モ−タ３７への制御信号、石抜装置用・精米装置用昇降機駆動モ−タ３８、石抜装置駆動モ−タ３９、精米装置駆動モ−タ４０、糠ラセン駆動モ−タ２０、異物除去装置の駆動モ−タ４１等が出力される。
【００１３】
次に、コイン投入口３０に投入されたコインの流れる構成について図５に基づいて説明する。５１はコイン投入口３０に投入されたコインを振り分けるコイン振り分け機で、その内部にはコインの種類を検出するコインセンサ３５を備えている。そして、コイン振り分け機５１の出口より、投入したコインをそのまま返却するスラグシュート５２と、コインの種類（５００円，１００円，５０円，１０円）ごとに設ける釣銭筒５３内に投入するコインシュート５４とをそれぞれ設けている。また、コインシュート５４からは釣銭筒５３内が満杯の時にコインを収容箱５５に供給するオーバーフローシュート５６を設けている。なお、コインに代わり紙幣挿入口３１に紙幣（千円）が挿入された場合も同様の構成作用を有するものである。
【００１４】
コインを貯留する上記収容箱５５は、上記コイン投入口３０や紙幣投入口３１を表面側に構成する開閉扉６０の裏面側に設けられる。該開閉扉６０は、筐体６１の開口部６１ａを開閉すべく設けるもので、筐体６１は仕切壁１の壁面構成一部の左右部枠６２，６３及び上下部枠６４，６５で囲われる開口部６６に挿入状とされる。この開口部６６に挿入される上記筐体６１は、該筐体６１の上面と下面とに設けた孔部６１ｂ，６１ｃにおいて、上部枠６４との間にボルト６７を挿通して該上部枠６４側の固定ナット６８に螺合すると共に、下部枠６５との間ではカラー６９及び頭付ピン７０を落し込んでなり、これらボルト６７とピン７０とを上下方向同一軸心イに設けることにより開閉回動可能に設けられる。つまり、この軸心イを表面側に近くかつ左右一側に偏寄して設定することにより、筐体６１は開口部６６を閉じた挿入姿勢と、当該開口部６６を開けた回動姿勢とに切り替えできる。
【００１５】
上記筐体６１を挿入姿勢に置くときは、筐体６１側壁と左部枠６２との間にボルト７１，７１…をもって固定することにより軸心イ回りの開閉動を規制する。なお、７２，７２はキー孔を有して当該キーによって開閉しうるロックハンドル、７３はコイン返却レバー、７４は釣銭口で、各部は上記開閉扉６０に設けられる。
【００１６】
前記左右部枠６２，６３のうち、左部枠６２は上下に長く上下部枠６４，６５の一端を溶接一体化して構成され、右部枠６３は上下に短く形成されこれら上下部枠６４，６５間を架渡し状に着脱自在に連結する構成である。左右部枠６２，６３の他端側を側部枠７５に溶接一体化し、左部枠６２側部枠７５及び上下部枠６４，６５をもって強固なパネル枠を構成する。７６は、右部枠６３と側部枠７５との間隔部を覆う着脱自在のカバーである。
【００１７】
発明の作用について説明する。作業者が原料投入タンク５に穀粒を投入すると共に、料金となるコイン又は紙幣をコイン投入口３０又は紙幣挿入口３１に投入する。そして白度選択ボタン３３、あるいはもちの場合にはもち選択ボタン３２を押すと機械室３内の装置各部は駆動を開始する。そして、原料投入タンク７内にある穀粒はロータリバルブ１５で繰り出されて石抜装置用昇降機８を経て石抜装置９で穀粒の中に含まれている石等を除去し、ついで異物除去装置１０によって石抜装置９では除去できない藁屑等の大きな異物を除去する。異物除去装置１０を通過した穀粒は精米装置用昇降機１１を経て玄米タンク１６に一時貯留され、順次精米装置１２内に供給され精白処理がなされる。精白作業を終えた穀粒は白米タンク６に排出され、また、精白処理作業の際に発生した糠は機械室側糠搬送経路１７を空気搬送されて糠処理部１３の糠袋２２ａ・２２ｂへ貯留される。
【００１８】
ところで、コイン投入口３０に投入されたコインをコイン振り分け機５１でその種類をコインセンサ３５で検出し、規定の種類のコインでない場合にはスラグシュート５２よりコインを操作室２側に返却すると共に、規定の種類のコインはコインシュート５４より釣銭筒５３に投入される。その際、釣銭筒５３が満杯の場合にはオーバーフローシュート５６を経て収容箱５５内に達し収納される。設置者は定期的に専用のキーをもってロックハンドル７２，７２を解除方向に廻してロックを解除し、扉６０を開き収容箱５５内のコインや紙幣を回収するものである。
【００１９】
また、筐体６１はロック用のボルト７１，７１を外すことにより、軸心イ回りに回動させることができ、機械室３の運転各部を操作室２側から確認できて便利である。なお、この回動状態で右部枠６３を外すことにより、開口部６６を拡大でき出入りを可能とさせ、機械室３内における開閉扉１４側からの確認のできない箇所の点検確認が容易となる。
【００２０】
図９は原料投入タンク７の詳細を示し、タンク一部を機械室Ｂ側に位置させるいと共に、この部分に精米装置１２に供給すべき玄米のオーバー分を還元するオーバーフローシュート８０を接続する。機械室３と操作室２との仕切り部８１を形成すると共に、ロータリバルブ１１は正逆回転切換自在に設けられ、これを正転すると主として操作室Ａ側から投入された原料を繰出し（図９（ａ））、逆転すると主として機械室Ｂ側から還元された玄米を繰出流下する構成としている（図９（ｂ））。もって、オーバーフローされることに伴う埃発生を操作室Ａ側に漏らすことなく実行でき埃による作業環境の悪化を来さない。
【００２１】
８３は、操作室Ａ側に設ける袋詰め機で、順次繰り出す収容袋に白米を予め設定しうる所定重量毎に袋詰めできる構成である。なお、この袋詰め機８３に使用する袋を複数種類収容してコイン投入によって適宜大きさの袋を繰出する袋販売機８４を併設している。８５はコイン投入口、８６は袋大きさの選択スイッチ、８７は取出口である。精米装置１２のホッパ１６への入り口部に切替弁８８を設け、通常は精米装置１２側供給位置におき、精米装置１２からの白米を別途容器に収容する。精米装置１２による処理が終了すると、切替弁８８を袋詰め機８３側供給姿勢に切り替えておく。上記容器に収容の白米を石抜き機９の昇降機８に還元投入すると、石抜き機９による再石抜き処理が行われ、袋詰め機８３にいたり、所定重量ごとに袋詰めできる。なお８９は重量計である。
【図面の簡単な説明】
【図１】 精米施設内の装置各部を示す平面図
【図２】 精米施設の作業工程図
【図３】 操作盤を示す正面図
【図４】 ブロック図
【図５】 投入コインの流れを示すフロー図
【図６】 筐体支持構成を示す分解斜視図
【図７】 上部軸芯を示す図
【図８】 下部軸芯を示す図
【図９】 （ａ）（ｂ）は原料投入ホッパの断面図
【図１０】 作業工程図
【符号の説明】
１…仕切壁、２…操作室、３…機械室、４…袋置き台、５…操作盤、６…白米タンク、７…原料投入タンク、８…石抜装置用昇降機、９…石抜装置、１０…異物除去装置、１１…精米装置用昇降機、１２…精米装置、１３…糠処理部、１４…開閉扉、１５…ロ−タリバルブ、１６…玄米タンク、１７…機械室側糠搬送経路、１８…サイクロン、１９…糠ラセン、２０…糠ラセン駆動モータ、２１…糠移送樋、２２ａ・２２ｂ…糠袋、３０…コイン投入口、３１…紙幣挿入口、３２…もち選択ボタン、３３…白度選択ボタン、３４…制御部、３５…コインセンサ、３６…紙幣検出手段、３７…ロ−タリバルブ駆動モ−タ、３８…石抜装置用・精米装置用昇降機駆動モ−タ、３９…石抜装置駆動モ−タ、４０…精米装置駆動モ−タ、４１…異物除去装置用駆動モ−タ、５１…コイン振り分け機、５２…スラグシュート、５３…釣銭筒、５４…コインシュート、５５…収容箱、５６…オーバーフローシュート、６０…開閉扉、６１…筐体、６２，６３…左右部枠、６４，６５…上下部枠、６６…開口部、６７…ボルト、６８…固定ナット、６９…カラー、７０…頭付ピン、７１，７１…ボルト、７２，７２…ロックハンドル、７３…コイン返却レバー、７４…釣銭口、７５…側部枠、７６…カバー
【図１】
0004009769.tif 000002
【図２】
0004009769.tif 000003
【図３】
0004009769.tif 000004
【図４】
0004009769.tif 000005
【図５】
0004009769.tif 000006
【図６】
0004009769.tif 000007
【図７】
0004009769.tif 000008
【図８】
0004009769.tif 000009
【図９】
0004009769.tif 000010
【図１０】
0004009769.tif 000011